(57)【要約】【課題】配送の過程中に、被栽培植物が損壊せず、検疫者が被栽培植物に感染されることを回避でき、被栽培植物に水分及び栄養成分を持続に供給でき、検疫の時間を短縮できる栽培容器を提供する。【解決手段】栽培コップと被栽培植物とを収容して保護可能であり、毛細管作用により、液体が栽培コップに吸い上げられて被栽培植物に吸収され、透明であり、床面に落下しても破裂せず、液体を収容可能である本体１１と、本体１１の内部に設けられ、栽培コップを組付け可能な支持部を有する支持枠１２と、透明であり、床面に落下しても破裂せず、本体を緊密に被り可能な蓋１３と、を含む。【選択図】図２
0003177348.tif 000002
【実用新案登録請求の範囲】
【請求項１】
栽培コップと被栽培植物とを収容して保護可能であり、毛細管作用により、液体が前記栽培コップに吸い上げられて前記被栽培植物に吸収され、
透明であり、床面に落下しても破裂せず、液体を収容可能である本体と、
前記本体の内部に設けられ、前記栽培コップを組付け可能な支持部を有する支持枠と、
透明であり、床面に落下しても破裂せず、前記本体を緊密に被り可能な蓋と、
を含むことを特徴とする栽培容器。
【請求項２】
前記栽培コップは、
毛細管作用を有し、液体に浸潤されると柔軟となる毛細管子と、
前記毛細管子の上端と接触し、毛細管作用を有する微細穴付きチューブと、
を含み、
前記栽培容器内にある液体は、前記毛細管子の下端に吸収されて、前記微細穴付きチューブに進入して、前記被栽培植物に供給されることを特徴とする、請求項１に記載の栽培容器。
【請求項３】
前記栽培コップは、更に、前記微細穴付きチューブの下方に組み付けられる下スリーブを含み、前記毛細管子は、前記下スリーブを経由して、前記微細穴付きチューブと接触し、前記下スリーブに少なくとも二つの観察穴が設けられ、前記被栽培植物の根は前記観察穴を経由して下方に伸びることを特徴とする、請求項２に記載の栽培容器。
【請求項４】
前記栽培コップは、更に、中空状を呈しかつ前記微細穴付きチューブの上方に組み付けられる上スリーブを含み、前記上スリーブの外縁が前記支持部に組み付けられることを特徴とする、請求項２に記載の栽培容器。
【請求項５】
栽培コップと被栽培植物とを収容して保護可能であり、毛細管作用により、液体が前記栽培コップに吸い上げられて前記被栽培植物に吸収され、
透明であり、床面に落下しても破裂せず、液体を収容可能である本体と、
前記本体の周縁に緊密に合せ可能であり、前記栽培コップを組付け可能な支持部を有する支持枠と、
透明であり、床面に落下しても破裂せず、前記支持枠の上縁に設けられる蓋と、
を含むことを特徴とする栽培容器。
【請求項６】
前記栽培コップは、
毛細管作用を有し、液体に浸潤されると柔軟となる毛細管子と、
前記毛細管子の上端と接触し、毛細管作用を有する微細穴付きチューブと、
を含み、
前記栽培容器内にある液体は、前記毛細管子の下端に吸収されて、前記微細穴付きチューブに進入して、前記被栽培植物に供給されることを特徴とする、請求項５に記載の栽培容器。
【請求項７】
前記栽培コップは、更に、前記微細穴付きチューブの下方に組み付けられる下スリーブを含み、前記毛細管子は、前記下スリーブを経由して、前記微細穴付きチューブと接触し、前記下スリーブに少なくとも二つの観察穴が設けられ、前記被栽培植物の根は前記観察穴を経由して下方に伸びることを特徴とする、請求項６に記載の栽培容器。
【請求項８】
前記栽培コップは、更に、中空状を呈しかつ前記微細穴付きチューブの上方に組み付けられる上スリーブを含み、前記上スリーブの外縁が前記支持部に組み付けられることを特徴とする、請求項６に記載の栽培容器。
【考案の詳細な説明】
【技術分野】
【０００１】
本考案は、栽培容器に関し、特に、液体により被栽培植物に水分及び栄養成分を供給できる栽培容器に関するものである。
【背景技術】
【０００２】
従来、土壌、栽培土又は栽培石などにより、植物を栽培することによる欠点は、特許文献１の台湾特許ＴＷ５８９９３５号の「保湿型土壌無し植物栽培容器」に開示されたが、このような栽培容器は、透明であり、床面に落下すると破裂しやすく、且つ被栽培植物を保護する蓋がない。このため、配送の過程中に、このような栽培容器は、床面に落下すると破裂しやすく、被栽培植物が傷付けられやすいため、海外に輸出して税関で検疫するときに、大量に返品される可能性がある。以下、植物を海外に輸出して税関で検疫するときに、返品される原因を説明する。税関の植物を検疫する重点は三つある。一つは、被栽培植物の根、茎及び葉の健康状態である。二つは、被栽培植物及び栽培容器の清潔レベルである。三つは、被栽培植物に土壌が付着しているか。被栽培植物に土壌が付着している場合には、当該被栽培植物を返品し、又は廃棄する。しかし、被栽培植物の根、茎及び葉の健康状態を検疫しているときに、検疫者は被栽培植物の根、茎及び葉を観察することが必要である。上記の栽培容器の開示した内容によれば、どのような方法により、被栽培植物を取り出さずに、被栽培植物の根、茎及び葉の状況を観察できるかは説明しなかった。一方、紙箱により被栽培植物を収容することが一般的であり、そして一つの紙箱に多数の被栽培植物を収容することが多い。このように、栽培容器を任意に引っ繰り返して観察することができず、被栽培植物を触って検疫することが必要である。そうすると、検疫の過程中に、被栽培植物が傷付けられる可能性があり、そして検疫者が被栽培植物にある細菌や病毒に感染される可能性もある。一方、被栽培植物を収容する紙箱に上蓋が設けられるが、前記上蓋に通気穴を設けることが一般的であるため、検疫される前に、一つの被栽培植物が細菌や病毒に感染された場合には、同じ紙箱に収容される他の被栽培植物が迅速に感染される可能性があり、更に、細菌や病毒が上蓋にある通気穴を経由して別の紙箱に侵入することも可能である。そうすると、被栽培植物が大量に返品され、又は廃棄されることはやむを得ない。
【先行技術文献】
【特許文献】
【０００３】
【特許文献１】台湾特許ＴＷ５８９９３５号公報
【考案の概要】
【考案が解決しようとする課題】
【０００４】
本考案の主な目的は、配送の過程中に、被栽培植物が損壊せず、検疫者が被栽培植物に感染されることを回避でき、被栽培植物に水分及び栄養成分を持続に供給でき、検疫者は被栽培植物と接触することが不必要となり、検疫の時間を短縮できる栽培容器を提供することにある。
【課題を解決するための手段】
【０００５】
本考案の栽培容器によると、栽培コップと被栽培植物とを収容して保護可能であり、毛細管作用により、液体が栽培コップに吸い上げられて被栽培植物に吸収され、透明であり、床面に落下しても破裂せず、液体を収容可能である本体と、本体の内部に設けられ、栽培コップを組付け可能な支持部を有する支持枠と、透明であり、床面に落下しても破裂せず、本体を緊密に被り可能な蓋と、を含むことを特徴とする。
【０００６】
本考案の栽培容器によると、栽培コップは、毛細管作用を有し、液体に浸潤されると柔軟となる毛細管子と、毛細管子の上端と接触し、毛細管作用を有する微細穴付きチューブと、を含み、栽培容器内にある液体は、毛細管子の下端に吸収されて、微細穴付きチューブに進入して、被栽培植物に供給されることを特徴とする。
【０００７】
本考案の栽培容器によると、栽培コップは、更に、微細穴付きチューブの下方に組み付けられる下スリーブを含み、毛細管子は、下スリーブを経由して、微細穴付きチューブと接触し、下スリーブに少なくとも二つの観察穴が設けられ、被栽培植物の根は観察穴を経由して下方に伸びることを特徴とする。
【０００８】
本考案の栽培容器によると、栽培コップは、更に、中空状を呈しかつ微細穴付きチューブの上方に組み付けられる上スリーブを含み、上スリーブの外縁が支持部に組み付けられることを特徴とする。
【０００９】
本考案の栽培容器によると、栽培コップと被栽培植物とを収容して保護可能であり、毛細管作用により、液体が栽培コップに吸い上げられて被栽培植物に吸収され、透明であり、床面に落下しても破裂せず、液体を収容可能である本体と、本体の周縁に緊密に合せ可能であり、栽培コップを組付け可能な支持部を有する支持枠と、透明であり、床面に落下しても破裂せず、支持枠の上縁に設けられる蓋と、を含むことを特徴とする。
【００１０】
本考案の栽培容器によると、栽培コップは、毛細管作用を有し、液体に浸潤されると柔軟となる毛細管子と、毛細管子の上端と接触し、毛細管作用を有する微細穴付きチューブと、を含み、栽培容器内にある液体は、毛細管子の下端に吸収されて、微細穴付きチューブに進入して、被栽培植物に供給されることを特徴とする。
【００１１】
本考案の栽培容器によると、栽培コップは、更に、微細穴付きチューブの下方に組み付けられる下スリーブを含み、毛細管子は、下スリーブを経由して、微細穴付きチューブと接触し、下スリーブに少なくとも二つの観察穴が設けられ、被栽培植物の根は観察穴を経由して下方に伸びることを特徴とする。
【００１２】
本考案の栽培容器によると、栽培コップは、更に、中空状を呈しかつ微細穴付きチューブの上方に組み付けられる上スリーブを含み、上スリーブの外縁が支持部に組み付けられることを特徴とする。
【考案の効果】
【００１３】
本考案の栽培容器によれば、次のような効果がある。
【００１４】
（１）栽培容器は透明であり且つ床面に落下しても破裂しない本体及び蓋を有し、蓋は被栽培植物を保護して隔離する機能を有するため、配送の過程中に、被栽培植物は損壊しない。
【００１５】
（２）栽培コップは、毛細管作用を有し且つ液体に浸潤されると柔軟となる毛細管子を有し、毛細管子により、栽培容器内の液体が適量に吸収されて被栽培植物に供給するため、長時間の配送の過程中に栽培容器が倒れても、毛細管子は、自然に曲げられて、栽培容器内の液体を適量に吸収して被栽培植物に持続に供給できる。
【００１６】
（３）栽培容器は透明であり且つ床面に落下しても破裂しない本体及び蓋を有し、蓋は被栽培植物を保護して隔離する機能を有するため、検疫の過程中に、観察穴から被栽培植物の下方に伸びる根の状況を直接に観察できる。
【００１７】
（４）検疫者が栽培容器を任意に引っ繰り返して被栽培植物を観察しているときに、本体内にある液体は、本体の周縁に緊密に合せられる支持枠に隔てられ、或いは本体の周縁に緊密に合せられる蓋に隔てられるため、栽培容器が倒れても、液体が外部に漏れ出さず、そして被栽培植物が傷付けられることはない。
【００１８】
（５）栽培容器は蓋を有し、蓋は被栽培植物を保護して隔離する機能を有するため、検疫の過程中に、細菌や病毒に感染された被栽培植物を発見する場合には、当該被栽培植物だけを廃棄すると済む。被栽培植物同士は互いに伝染しないため、検疫の時間を短縮できる。
【図面の簡単な説明】
【００１９】
【図１】本考案の実施例１の組合済み状態を示す斜視図である。
【図２】本考案の実施例１を示す分解斜視図である。
【図３】本考案の実施例１の実施態様を示す断面図である。
【図４】図３の傾倒状態を示す模式図である。
【図５】本考案の実施例２の実施態様を示す断面図である。
【図６】本考案の実施例３の実施態様を示す断面図である。
【図７】本考案の実施例４の実施態様を示す断面図である。
【図８】本考案の実施例５の実施態様を示す断面図である。
【考案を実施するための最良の形態】
【００２０】
以下、本考案の実施の形態を図面に基づいて説明する。
【００２１】
（実施例１）
まず、図１乃至図４を参照する。本実施例の栽培容器１０は、栽培コップ２０と被栽培植物３０とを収容して保護可能であり、毛細管作用により、栽培容器１０内にある液体が栽培コップ２０に吸い上げられて被栽培植物３０に吸収される。基本的には、栽培容器１０は、透明であり、床面に落下しても破裂しない材料（例えばＰＥＴ、ＰＶＣ、ＰＰ、ＰＣ、又はメラミンなど）で作製されたものである。栽培容器１０は、液体１００を収容可能な本体１１と、本体１１内に設けられる支持枠１２と、本体１１の上縁を緊密に被り可能な蓋１３と、を含む。支持枠１２は本体１１と一体成形されてもよい。支持枠１２には、栽培コップ２０を組付け可能な支持部１２１が設けられる。すなわち、支持枠１２は、栽培コップ２０の外縁に嵌め設けられ、或いは栽培コップ２０の外縁を挟むように設けられる。蓋１３により、配送の過程中に栽培容器１０が倒れても、液体１００が漏れ出すことはない。もちろん、本体１１の周縁に支持枠１２を緊密に嵌合することができれば、漏れ止め効果は更に向上する。栽培容器１０は透明であり且つ床面に落下しても破裂しない本体１１及び蓋１３を有し、蓋１３は被栽培植物３０を保護して隔離する機能を有するため、配送の過程中に、被栽培植物３０は損壊しない目的を達成できる。
【００２２】
栽培コップ２０は、毛細管作用を有し、液体に浸潤されると柔軟となる毛細管子２２と、毛細管子２２の上端と接触し、毛細管作用を有する微細穴付きチューブ２１と、を含む。栽培容器１０内にある液体１００は、毛細管子２２の下端に吸収されて、微細穴付きチューブ２１に進入して、被栽培植物３０に供給される。栽培コップ２０は、更に、微細穴付きチューブ２１の下方に組み付けられる下スリーブ２３を含む。毛細管子２２は、下スリーブ２３を経由して、微細穴付きチューブ２１と接触する。下スリーブ２３に少なくとも二つの観察穴２３１が設けられる。被栽培植物３０の根３１は観察穴２３１を経由して下方に伸びる。栽培コップ２０は、更に、中空状を呈し、微細穴付きチューブ２１の上方に組み付けられる上スリーブ２４を含む。上スリーブ２４の外縁は支持部１２１に組み付けられる。すなわち、支持部１２１は、上スリーブ２４の外縁に嵌め設けられ、或いは上スリーブ２４の外縁を挟むように設けられる。このように、配送の過程中に栽培容器１０が倒れても、毛細管子２２は、自然に曲げられて、栽培容器１０内の液体１００を適量に吸収して被栽培植物３０に持続に供給できる。
【００２３】
栽培容器１０を任意に引っ繰り返しながら、被栽培植物３０の根、茎及び葉を検疫しているときに、検疫者は、透明な本体１１を直接に透視して観察穴２３１を見ることができ、これにより、被栽培植物３０の下方に伸びる根３１を観察して、根３１の状況を判断できる。一方、栽培容器１０を任意に引っ繰り返しながら、被栽培植物３０を観察しているときに、本体１１内にある液体１００は本体１１の周縁に緊密に合せられる支持枠１２に隔てられるため、栽培容器１０が倒れても、液体１００が外部に漏れ出せず、被栽培植物３０が傷付けられることはない。また、栽培容器１０は蓋１３を有し、蓋１３は被栽培植物３０を保護して隔離する機能を有するため、検疫の過程中に、細菌や病毒に感染された被栽培植物３０を発見する場合には、当該被栽培植物３０だけを廃棄すると済む。被栽培植物３０同士は互いに伝染しないため、検疫の時間を短縮できる。
【００２４】
（実施例２）
図５を参照する。図５は本考案の実施例２の実施態様を示す断面図である。本実施例の栽培容器１０は、図５に示すように、液体１００を収容可能である本体１１と、本体１１の周縁に緊密に合せ可能であり、栽培コップ２０を組付け可能な支持部１２１を有する支持枠１２と、支持枠１２の上縁に設けられる蓋１３と、を含む。すなわち、本実施例では、支持枠１２の周面は、本体１１を超えるように上方に延び、本体１１の周縁に緊密に合せられ、蓋１３が支持枠１２の上縁を直接に被る。このように、蓋１３は被栽培植物３０を保護して隔離する機能を有する。
【００２５】
（実施例３）
図６を参照する。図６は本考案の実施例３の実施態様を示す断面図である。本実施例の栽培容器１０は、図６に示すように、支持枠１２の周面は、上下方に延びるため、本体１１の周縁と緊密に合せる面積を増加できる。
【００２６】
（実施例４）
図７を参照する。図７は本考案の実施例４の実施態様を示す断面図である。本実施例の栽培容器１０は、図７に示すように、本体１１が上記の実施例の半分であり、蓋１３の周縁が下方に延びることにより、蓋１３は被栽培植物３０を収容できる空間を有する。
【００２７】
（実施例５）
図８を参照する。図８は本考案の実施例５の実施態様を示す断面図である。本実施例の栽培容器１０は、図８に示すように、本体１１と蓋１３とから構成される収容空間が水平方向に延び、被栽培植物３０も水平方向に沿うように置かれる。少なくとも一つの支持枠は、鉛直方向に沿うように本体１１に配される。もちろん、栽培容器１０は、透明であり、床面に落下しても破裂しない本体１１及び蓋１３を有し、蓋１３が本体１１の上縁を緊密に被り可能であるため、配送の過程中に栽培容器１０が倒れても、液体１００が外部に漏れ出すことはない。また、本体１１は、その上縁の一部が上方に延びて蓋１３を形成し、適宜な位置に支持枠１２を形成してもよい。すなわち、栽培容器１０は一体成形されたものであってもよい。
【００２８】
このように、特定の例を参照して本考案を説明したが、それらの例は、説明のためだけのものであり、本考案を限定するものではなく、この分野の通常の知識を有する者には、本考案の要旨および実用新案登録請求の範囲を逸脱することなく、ここで開示された実施例に変更、追加、または、削除を施してもよいことがわかる。
【産業上の利用可能性】
【００２９】
本考案は、栽培容器に適用することができる。
【符号の説明】
【００３０】
１０：栽培容器
１１：本体
１２：支持枠
１３：蓋
２０：栽培コップ
２１：微細穴付きチューブ
２２：毛細管子
２３：下スリーブ
２４：上スリーブ
３０：被栽培植物
３１：根
１００：液体
１２１：支持部
２３１：観察穴
【図１】
0003177348.tif 000003
【図２】
0003177348.tif 000004
【図３】
0003177348.tif 000005
【図４】
0003177348.tif 000006
【図５】
0003177348.tif 000007
【図６】
0003177348.tif 000008
【図７】
0003177348.tif 000009
【図８】
0003177348.tif 000010
【手続補正書】
【提出日】平成24年6月4日(2012.6.4)
【手続補正１】
【補正対象書類名】実用新案登録請求の範囲
【補正対象項目名】全文
【補正方法】変更
【補正の内容】
【実用新案登録請求の範囲】
【請求項１】
液体を収容可能で透明な容器本体と、
前記容器本体内に設けられた支持枠と、
被栽培植物を収容可能であって、前記支持枠の支持部に組み付けられて支持される栽培コップと、
前記容器本体の開口を緊密に覆う透明な蓋とを備え、
前記栽培コップは、
毛細管作用を有し、液体に浸潤されると柔軟となる毛細管と、
前記毛細管の上端と接触し、毛細管作用を有する微細穴付きチューブとを含む、栽培容器。
【請求項２】
前記栽培コップは、さらに、前記微細穴付きチューブの下方に組み付けられる下スリーブを含み、
前記毛細管は、前記下スリーブを経由して前記微細穴付きチューブと接触し、
前記下スリーブには、被栽培植物の根を通過させ得る少なくとも二つの観察穴が設けられている、請求項１に記載の栽培容器。
【請求項３】
前記栽培コップは、さらに、中空状を呈しかつ前記微細穴付きチューブの上方に組み付けられる上スリーブを含み、
前記上スリーブの外縁が、前記支持部に組み付けられる、請求項１または２に記載の栽培容器。
【請求項４】
液体を収容可能で透明な容器本体と、
前記容器本体の周縁に緊密に合せられて支持される支持枠と、
被栽培植物を収容可能であって、前記支持枠の支持部に組み付けられて支持される栽培コップと、
前記支持枠の上縁に設けられる透明な蓋とを備え、
前記栽培コップは、
毛細管作用を有し、液体に浸潤されると柔軟となる毛細管と、
前記毛細管の上端と接触し、毛細管作用を有する微細穴付きチューブとを含む、栽培容器。
【請求項５】
前記栽培コップは、さらに、前記微細穴付きチューブの下方に組み付けられる下スリーブを含み、
前記毛細管は、前記下スリーブを経由して前記微細穴付きチューブと接触し、
前記下スリーブには、被栽培植物の根を通過させ得る少なくとも二つの観察穴が設けられている、請求項４に記載の栽培容器。
【請求項６】
前記栽培コップは、さらに、中空状を呈しかつ前記微細穴付きチューブの上方に組み付けられる上スリーブを含み、
前記上スリーブの外縁が前記支持部に組み付けられる、請求項４または５に記載の栽培容器。
【手続補正２】
【補正対象書類名】明細書
【補正対象項目名】０００５
【補正方法】変更
【補正の内容】
【０００５】
一つの局面において、本考案に従った栽培容器は、液体を収容可能で透明な容器本体と、容器本体内に設けられた支持枠と、被栽培植物を収容可能であって、支持枠の支持部に組み付けられて支持される栽培コップと、容器本体の開口を緊密に覆う透明な蓋とを備える。栽培コップは、毛細管作用を有し、液体に浸潤されると柔軟となる毛細管と、毛細管の上端と接触し、毛細管作用を有する微細穴付きチューブとを含む。
【手続補正３】
【補正対象書類名】明細書
【補正対象項目名】０００６
【補正方法】削除
【補正の内容】
【手続補正４】
【補正対象書類名】明細書
【補正対象項目名】０００９
【補正方法】変更
【補正の内容】
【０００９】
他の局面において、本考案に従った栽培容器は、液体を収容可能で透明な容器本体と、容器本体の周縁に緊密に合せられて支持される支持枠と、被栽培植物を収容可能であって、支持枠の支持部に組み付けられて支持される栽培コップと、支持枠の上縁に設けられる透明な蓋とを備える。栽培コップは、毛細管作用を有し、液体に浸潤されると柔軟となる毛細管と、毛細管の上端と接触し、毛細管作用を有する微細穴付きチューブとを含む。
【手続補正５】
【補正対象書類名】明細書
【補正対象項目名】００１０
【補正方法】削除
【補正の内容】